【手続補正書】
【提出日】平成22年12月7日(2010.12.7)
【手続補正１】
【補正対象書類名】特許請求の範囲
【補正対象項目名】全文
【補正方法】変更
【補正の内容】
【特許請求の範囲】
【請求項１】
本体部と１対のアームとを有する弾性のある連結具であって、上記１対のアームが該連結具の互いに背向する端部に配置され、運動範囲制限機構が該連結具の曲げ変形量と、圧縮量と、伸長量とを制御するように構成されている連結具と、
上記弾性のある連結具の１対のアームと協働して該連結具を骨に取り付けるように構成されている複数の骨アンカーを有する骨固定システムとを備えていることを特徴とする脊椎安定化ユニット。
【請求項２】
上記１対のアームのうちの少なくとも１つのアームが、ねじが形成された連結部で上記弾性のある連結具の上記本体部に連結されていることを特徴とする、請求項１に記載のユニット。
【請求項３】
上記本体部が弾性を有することを特徴とする、請求項１に記載のユニット。
【請求項４】
上記本体部は、該本体部の長手方向の軸に沿って伸長可能であり、かつ圧縮可能であることを特徴とする、請求項１に記載のユニット。
【請求項５】
上記本体部は、該本体部の長手方向の軸に対して曲げ変形可能であることを特徴とする、請求項１に記載のユニット。
【請求項６】
前記本体部は、円筒形であり、かつ、該本体部内にスロットを形成する複数の構成要素を備えていることを特徴とする、請求項１に記載のユニット。
【請求項７】
上記弾性のある連結具の長さが調整可能であることを特徴とする、請求項１に記載のユニット。
【請求項８】
上記１対のアームのうちの１つのアームが、ねじが形成された連結部で上記連結具に取り付けられていて、上記連結具の長さを、上記１つのアームを回転させることにより上記ねじが形成された連結部に対して相対的に調整することができることを特徴とする、請求項７に記載のユニット。
【請求項９】
上記運動範囲制限機構が、
上記連結具の第１端部から上記連結具の第２端部に向かって連結具内部を伸びるとともに、狭められた遠位開口部を有するスリーブと、
上記連結具の上記第２端部から上記連結具の上記第１端部に向かって連結具内部を伸びるとともに、上記スリーブ内に配置され拡大された端部を有する細長部とを備えていて、
上記細長部の寸法が、上記連結具が伸長され又は曲げられたときには上記の拡大された端部が上記の狭められた遠位開口部の壁に隣接し、上記連結具が圧縮されたときには上記スリーブが上記連結部の上記第２端部に隣接するように設定されていることを特徴とする、請求項１に記載のユニット。
【請求項１０】
上記運動範囲制限機構が、
第１要素と、
上記第１要素内に移動可能に配置されるとともに、上記第１要素と協働する第２要素とを有し、
上記第２要素に対する上記第１要素の第１方向の移動が、上記連結具の伸長する範囲を決定し、上記第２要素に対する上記第１要素の、上記第１方向とは反対向きの第２方向の移動が、上記連結具の圧縮する範囲を決定することを特徴とする、請求項１に記載のユニット。
【請求項１１】
上記骨固定システムが、さらに少なくとも１つのボールベアリングと少なくとも１つのナットとを備えていることを特徴とする、請求項１に記載のユニット。
【請求項１２】
各アームが、開口部を有する凹部を備えていて、
上記骨固定システムが、さらに各骨アンカーのための半球状のボールベアリングを備えていることを特徴とする、請求項５に記載のユニット。
【請求項１３】
上記弾性のある連結具が、上記複数の骨アンカーに対して相対的に移動可能であることを特徴とする、請求項１２に記載のユニット。
【請求項１４】
上記弾性のある連結具が、上記骨固定システムに対して相対的に移動できるように構成されていることを特徴とする、請求項１に記載のユニット。
【請求項１５】
上記骨固定システムがさらに複数のナットを備えていて、
各ナットは、該ナットに十分なトルクが作用したときに破損するように構成された狭められた脱離部を有していることを特徴とする、請求項１に記載のユニット。
【請求項１６】
上記運動範囲制限機構が、上記本体部内に配置されていることを特徴とする、請求項１に記載のユニット。
【請求項１７】
１対のアームを有する弾性のある連結具であって、上記アームが該弾性のある連結具の互いに背向する端部に配置され、運動範囲制限機構が該弾性のある連結具の曲げ変形量と、圧縮量と、伸長量とを制御するように構成されている連結具と、
１対のアームを有する剛性のある連結具であって、上記アームが該剛性のある連結具の互いに対向する端部に配置されている連結具と、
上記弾性のある連結具のアーム及び上記剛性のある連結具のアームと協働して該連結具を骨に取り付けるように構成されている複数の骨アンカーを有する骨固定システムとを備えていることを特徴とするモジュール式の脊椎安定化システム。
【請求項１８】
前記弾性のある連結具は円筒体を有していて、
上記円筒体の壁に、１つ又は複数の細長い穴が形成されていることを特徴とする、請求項１７に記載のシステム。
【請求項１９】
上記弾性のある連結具が弾性のある本体部を備えていることを特徴とする、請求項１７に記載のシステム。
【請求項２０】
上記本体部は、該本体部の長手方向の軸に沿って伸長可能であり、かつ圧縮可能であることを特徴とする、請求項１９に記載のシステム。
【請求項２１】
上記本体部は、該本体部の長手方向の軸に対して相対的に曲げ変形可能であることを特徴とする、請求項１９に記載のシステム。
【請求項２２】
上記弾性のある連結具のアームのうちの少なくとも１つのアームは、ねじが形成された連結部で上記弾性のある連結具に取り付けられていることを特徴とする、請求項１７に記載のシステム。
【請求項２３】
上記弾性のある連結具の長さが調整可能であることを特徴とする、請求項１７に記載のシステム。
【請求項２４】
上記弾性のある連結具のアームが、ねじが形成された連結部で上記弾性のある連結具に取り付けられていて、上記弾性のある連結具の長さを、上記アームを回転させることにより上記弾性のある連結具に対して相対的に調整することができることを特徴とする、請求項２３に記載のシステム。
【請求項２５】
上記運動範囲制限機構が、上記弾性のある連結具の弾性のある本体部内に配置されていることを特徴とする、請求項１７に記載のシステム。
【請求項２６】
上記運動範囲制限機構が、
第１要素と、
上記第１要素内に移動可能に配置されるとともに、上記第１要素と協働する第２要素とを有し、
上記第２要素に対する上記第１要素の第１方向の移動が、上記弾性のある連結具の伸長する範囲を決定し、上記第２要素に対する上記第１要素の、上記第１方向とは反対向きの第２方向の移動が、上記弾性のある連結具の圧縮する範囲を決定することを特徴とする、請求項１７に記載のシステム。
【請求項２７】
上記骨固定システムが、さらに複数のボールベアリングと複数のナットとを備えていることを特徴とする、請求項１７に記載のシステム。
【請求項２８】
上記弾性のある連結具が、上記複数の骨アンカーに対して相対的に移動できるように構成されていることを特徴とする、請求項２７に記載のシステム。
【請求項２９】
上記弾性のある連結具が、上記骨固定システムに対して相対的に移動できるように構成されていることを特徴とする、請求項１７に記載のシステム。
【請求項３０】
上記運動範囲制限機構が、
上記弾性のある連結具の第１端部から上記弾性のある連結具の第２端部に向かって連結具内部を伸びるとともに、狭められた遠位開口部を有するスリーブと、
上記弾性のある連結具の上記第２端部から上記弾性のある連結具の上記第１端部に向かって連結具内部を伸びるとともに、上記スリーブ内に配置され拡大された端部を有する細長部とを備えていて、
上記細長部の寸法が、上記弾性のある連結具が伸長され又は曲げられたときには上記の拡大された端部が上記の狭められた遠位開口部の壁に隣接し、上記弾性のある連結具が圧縮されたときには上記スリーブが上記弾性のある連結部の上記第２端部に隣接するように設定されていることを特徴とする、請求項１７に記載のシステム。
【請求項３１】
上記剛性のある連結具の長さが調整可能であることを特徴とする、請求項１７に記載のシステム。
【請求項３２】
上記剛性のある連結器のアームが、ねじが形成された連結部で上記剛性のある連結具に取り付けられていて、上記剛性のある連結具の長さを、上記アームを回転させることにより上記剛性のある連結具に対して相対的に調整することができることを特徴とする、請求項３１に記載のシステム。
【請求項３３】
上記骨固定システムがさらに複数の半球状のボールベアリングを有していて、
上記弾性のある連結具の上記アーム及び上記剛性のある連結具のアームが、それぞれ、半球状のボールベアリングと係合するように構成された開口部を有する凹部を備えていることを特徴とする、請求項１７に記載のシステム。
【請求項３４】
上記骨固定システムが、さらに、上記剛性のある連結具又は上記弾性のある連結具をそれぞれの骨アンカーに固定するための複数のナットを備えていて、
各ナットは、該ナットに十分なトルクが作用したときに破損するように構成された狭められた脱離部を有していることを特徴とする、請求項１７に記載のシステム。
【請求項３５】
さらに、第２の弾性のある連結具を備えていることを特徴とする、請求項１７に記載のシステム。
【請求項３６】
さらに、第２の剛性のある連結具を備えていることを特徴とする、請求項１７に記載のシステム。
【請求項３７】
さらに、第２の弾性のある連結具と、第２の剛性のある連結具とを備えていることを特徴とする、請求項１７に記載のシステム。